(57)【特許請求の範囲】
【請求項１】
外部から挿入された穿孔テープを送出するオルゴールムーブメントと、
前記オルゴールムーブメントから送出された前記穿孔テープを外部へと排出するように案内する案内部と、
前記オルゴールムーブメント及び前記案内部を内部に収めた筐体と、を備え、
前記案内部が、前記筐体の内側の側面から延びる第１の案内板と、
前記第１の案内板と間隔をあけて配置され、前記筐体の内側の側面から延びる第２の案内板と、を有するオルゴール装置。
【請求項２】
請求項１記載のオルゴール装置であって、
前記案内部が、前記第１の案内板及び前記第２の案内板を互いに連結する連結部材を更に有するオルゴール装置。
【請求項３】
請求項２記載のオルゴール装置であって、
前記筐体が、側面を形成する複数の側面板を有し、
前記複数の側面板の下側の端面に、それぞれ、該端面に沿って延びる切り欠きが設けられているオルゴール装置。
【発明の詳細な説明】
【技術分野】
【０００１】
本発明は、オルゴール装置に関する。
【背景技術】
【０００２】
特許文献１には、テープ式オルゴール装置が記載されている。このテープ式オルゴール装置は、オルゴール本体を取り付ける中敷板の他に響板を設け、中敷板と響板に段差を付け、その高低差を利用して音量調節レバーによりテープ式オルゴール装置を響板に接触・非接触させ、さらには接する圧力を変化させることによりオルゴールの音量を調節している。
【先行技術文献】
【特許文献】
【０００３】
【特許文献１】実用新案登録第３１３３１２０号公報
【発明の概要】
【発明が解決しようとする課題】
【０００４】
本発明は、音響効果を向上させたオルゴール装置を提供することを目的とする。
【課題を解決するための手段】
【０００５】
前記目的に沿う本発明に係るオルゴール装置は、外部から挿入された穿孔テープを送出するオルゴールムーブメントと、
前記オルゴールムーブメントから送出された前記穿孔テープを外部へと排出するように案内する案内部と、
前記オルゴールムーブメント及び前記案内部を内部に収めた筐体と、を備え、
前記案内部が、前記筐体の内側の側面から延びる第１の案内板と、
前記第１の案内板と間隔をあけて配置され、前記筐体の内側の側面から延びる第２の案内板と、を有する。
【０００６】
【０００７】
本発明に係るオルゴール装置において、
前記案内部が、前記第１の案内板及び前記第２の案内板を互いに連結する連結部材を更に有することが好ましい。
【０００８】
本発明に係るオルゴール装置において、
前記筐体が、側面を形成する複数の側面板を有し、
前記複数の側面板の下側の端面に、それぞれ、該端面に沿って延びる切り欠きが設けられていることが好ましい。
【発明の効果】
【０００９】
本発明によれば、音響効果を向上させたオルゴール装置を提供できる。
【図面の簡単な説明】
【００１０】
【図１】本発明の一実施の形態に係るオルゴール装置の上面側から見た斜視図である。
【図２】同オルゴール装置の底面側から見た斜視図である。
【図３】同オルゴール装置が備えるオルゴールムーブメント及び案内部の配置を示す側断面図である。
【図４】同オルゴール装置が備える案内部の斜視図である。
【発明を実施するための形態】
【００１１】
続いて、添付した図面を参照しつつ、本発明を具体化した実施の形態につき説明し、本発明の理解に供する。なお、図において、説明に関連しない部分は図示を省略する場合がある。
【００１２】
本発明の一実施の形態に係るオルゴール装置１０は、図１に示すように、音楽のデータが記録された穿孔テープＴＰを読み込んで演奏する、いわゆるテープ式オルゴールである。
オルゴール装置１０は、筐体１２、オルゴールムーブメント１４（図３参照）、及び案内部１６を備えている。
【００１３】
筐体１２は、図２に示すように、ベース板１２２及び容器部１２４を有している。
ベース板１２２は、板状の部材であり、平面視して矩形状である。ベース板１２２の底面の角部には、それぞれ設置面に接触する支持部材１２６が設けられている。ベース板１２２は、例えば木製である。
【００１４】
容器部１２４は、図４に示すように、下方が開口した箱状の容器であり、平面視して矩形状である。容器部１２４は、開口部分を下にしてベース板１２２の上に載せられる。容器部１２４は、例えば木製であり、複数の板状の部材を組み合わせて形成される。容器部１２４の内部の空間には、図３に示すように、オルゴールムーブメント１４及び案内部１６が収められる。
容器部１２４の前面側には、穿孔テープＴＰが挿入される長孔Ｈ１が形成され、背面側には、穿孔テープＴＰが排出される長孔Ｈ２が形成されている。図４に示すように、容器部１２４の前面、背面、左側面、及び右側面を構成する各側面板の下側の端面には、それぞれその端面に沿って延びる切り欠きＣ１〜Ｃ４が設けられている。各部材に設けられた切り欠きＣ１〜Ｃ４は、下側の端面の端部を除いた部分に沿って形成されているので、容器部１２４は、下側の角部の４箇所でベース板１２２に接触する。
【００１５】
図３に示すオルゴールムーブメント１４は、演奏をするための機械部分である。オルゴールムーブメント１４は、図１に示す矢印方向に回転する手回しハンドル１４２を有し、演奏者によって、手動で駆動される。
オルゴールムーブメント１４は、図３に示すように、取り付け板２０を介してベース板１２２に固定されている。取り付け板２０の上側の面には、オルゴールムーブメント１４の下を通って穿孔テープＴＰが送られる方向と交差する方向に延びる複数の溝２０２が形成されている。
オルゴールムーブメント１４は、外部から長孔Ｈ１に挿入された穿孔テープＴＰに記録された音楽のデータに従ってその音楽を演奏し、穿孔テープＴＰを筐体１２の内部に送出できる。
【００１６】
案内部１６は、オルゴールムーブメント１４から送出された穿孔テープＴＰを長孔Ｈ２から外部へと排出するように案内できる。
案内部１６は、図４に示すように、上側案内板（第１の案内板の一例）１６２、下側案内板（第２の案内板の一例）１６４、及び連結板（連結部材の一例）１６６を有している。上側案内板１６２、下側案内板１６４、及び連結板１６６は、それぞれ例えば木製である。
【００１７】
上側案内板１６２は、図３に示すように、基端部が容器部１２４の内側の側面であって、長孔Ｈ２の上側の面に固定され、容器部１２４の内部に向かって延びている。上側案内板１６２の先端部は、先端に向かうに従って厚み（上下方向の幅）が小さくなっている。
【００１８】
下側案内板１６４は、間隔を空けて上側案内板１６２の下側に配置されている。
下側案内板１６４は、基端部が容器部１２４の内側の側面であって、長孔Ｈ２の下側の面に取り付けられ、容器部１２４の内部に向かって延びている。下側案内板１６４の先端部は、先端に向かうに従って厚み（上下方向の幅）が小さくなっている。
なお、下側案内板１６４の穿孔テープＴＰが送られる方向（下側案内板１６４が延びる方向）の寸法は、上側案内板１６２の寸法よりも短くなっている。
【００１９】
ここで、筐体１２の内部に案内部１６が設けられているのは、オルゴールムーブメント１４の大きさに対してより広い筐体１２の内部空間を確保すると、穿孔テープＴＰを外部に排出することが困難になるためである。
すなわち、オルゴール装置１０においては、筐体１２に広い内部空間が確保されるので、特に低音域の音響効果が向上する。
【００２０】
連結板１６６は、上側案内板１６２及び下側案内板１６４の側面に固定され、上側案内板１６２及び下側案内板１６４を互いに連結する。
【００２１】
次に、オルゴール装置１０の動作について説明する。
【００２２】
演奏者が、オルゴール装置１０の前面に形成された長孔Ｈ１に外部から穿孔テープＴＰを挿入し、手回しハンドル１４２を回すと、オルゴールムーブメント１４は、穿孔テープＴＰを読み込み、音楽を奏でる。その際、上側案内板１６２及び下側案内板１６４は、それぞれ基端部が筐体１２の内側の側面に固定されているので、例えばリードの如く振動する。また、上側案内板１６２及び下側案内板１６４が連結板１６６によって互いに連結されているので、振動の位相が実質的に一致する。すなわち、オルゴール装置１０が案内部１６を備えていることにより、音響効果が向上する。
また、切り欠きＣ１〜Ｃ４が設けられていることも音響効果の向上に貢献する。
【００２３】
オルゴールムーブメント１４に読み込まれた穿孔テープＴＰはオルゴールムーブメント１４の背面側に位置する案内部１６に向かって送出される。送出された穿孔テープＴＰは、上側案内板１６２及び下側案内板１６４によって案内され、オルゴール装置１０の背面に形成された長孔Ｈ２から排出される。
【００２４】
このように、オルゴール装置１０は、筐体１２の内部に案内部１６を備えているので、筐体１２に広い内部空間が確保され、特に低音域の音響効果が向上する。更に、案内部１６自体の作用によって、音響効果が向上する。
【００２５】
以上、本発明の実施の形態を説明したが、本発明は、上記した形態に限定されるものでなく、要旨を逸脱しない条件の変更等は全て本発明の適用範囲である。
【符号の説明】
【００２６】
１０  オルゴール装置
１２  筐体
１４  オルゴールムーブメント
１６  案内部
２０  板
１２２  ベース板
１２４  容器部
１２６  支持部材
１４２  ハンドル
１６２  上側案内板
１６４  下側案内板
１６６  連結板
２０２  溝
Ｃ１〜Ｃ４  切り欠き
Ｈ１  長孔
Ｈ２  長孔
ＴＰ  穿孔テープ
【図１】
0006593953.tif 000002
【図２】
0006593953.tif 000003
【図３】
0006593953.tif 000004
【図４】
0006593953.tif 000005